(57)【特許請求の範囲】
【請求項１】
端部に電極を有するランプ管を有する環状蛍光ランプにおいて、
ランプ管の端部に取り付けられたステムと、
ステムからランプ管内部に引き出され、端部に電極を取り付けた２本のリード線と
を備え、
上記２本のリード線は、電極を環状蛍光ランプの内側から外側へ引いた線に直交する方向に配置するとともに、ステムから引き出されたリード線にカーブを持たせることにより電極をランプ管内中央に配置していることを特徴とする環状蛍光ランプ。
【請求項２】
端部に電極を有するランプ管を有する環状蛍光ランプにおいて、
ランプ管の端部に取り付けられたステムと、
ステムからランプ管内部に引き出され、端部に電極を取り付けた２本のリード線と
を備え、
上記２本のリード線は、電極を環状蛍光ランプの内側から外側へ引いた線に直交する方向に配置するとともに、リード線をステムに対して偏心させて取り付けることにより電極をランプ管内中央に配置していることを特徴とする環状蛍光ランプ。
【請求項３】
端部に電極を有するランプ管と、
所定の使用可能温度範囲を有し、ランプ管の周囲を被覆する被覆層と
を有する環状蛍光ランプにおいて、
ランプ管の端部に取り付けられたステムと、
ステムからランプ管内部に引き出され、端部に電極を取り付けた２本のリード線と
を備え、
電極は、ランプ管の管内壁からいずれの方向においても被覆層の使用可能温度範囲によって決定される距離以上離れた位置に配置されており、
上記電極は、上記被覆層の使用可能温度範囲の上限が約１５０℃の場合、ランプ管の管内壁から約７．６ｍｍ以上離れており、
上記２本のリード線は、電極を環状蛍光ランプの内側から外側へ引いた線に直交する方向に配置するとともに、ステムから引き出されたリード線にカーブを持たせることにより電極をランプ管内中央に配置していることを特徴とする環状蛍光ランプ。
【請求項４】
端部に電極を有するランプ管と、
所定の使用可能温度範囲を有し、ランプ管の周囲を被覆する被覆層と
を有する環状蛍光ランプにおいて、
ランプ管の端部に取り付けられたステムと、
ステムからランプ管内部に引き出され、端部に電極を取り付けた２本のリード線と
を備え、
電極は、ランプ管の管内壁からいずれの方向においても被覆層の使用可能温度範囲によって決定される距離以上離れた位置に配置されており、
上記電極は、上記被覆層の使用可能温度範囲の上限が約１５０℃の場合、ランプ管の管内壁から約７．６ｍｍ以上離れており、
上記２本のリード線は、電極を環状蛍光ランプの内側から外側へ引いた線に直交する方向に配置するとともに、リード線をステムに対して偏心させて取り付けることにより電極をランプ管内中央に配置していることを特徴とする環状蛍光ランプ。
【発明の詳細な説明】
【０００１】
【発明の属する技術分野】
本発明は、例えば、飛散防止加工された環状蛍光ランプに関する。
【０００２】
【従来の技術】
図１７は、従来の直管形蛍光ランプを示す図である。
ランプ管１０の内側には、蛍光体１７が塗られている。ランプ管１０の端部は、口金１３で覆われている。ランプ管１０の端部には、ステム１２が取り付けられている。ステム１２からは２本のリード線１４が口金１３から引き出されている。リード線１４の間には、フィラメント１９が存在している。フィラメント１９には、電子放射物質が設けられており、電極２０を形成している。ステム１２からは、支柱１５がリード線１４とは絶縁された形で飛び出しており、支柱１５には、ＦＡ（フローティングアノード）１１が取り付けられている。
【０００３】
通常、蛍光ランプ（以下、単にランプとも言う）は、照明用として用いられるため、天井等高所にて使用される場合が多く、ランプ自体がガラス製であるため、破損落下の際、人体へ危険が生じる場所、つまり、公共性の高い電車等の車内照明などでは、直管形の飛散防止形蛍光ランプが用いられている。この飛散防止形の蛍光ランプは、図１８に示すように、ランプ完成後に口金１３の上からチューブ３０を重ねる形で樹脂収縮チューブを被せ、加熱、収縮させて防飛膜３１を装着していた。例えば、帝人化成株式会社製のポリエチレンテレフタレートを主体としたテレ（テレは登録商標）チューブなどが一般に用いられていた。
【０００４】
図１９は、環状蛍光ランプを示す図である。
環状蛍光ランプの場合は、口金１３が取り付けられる前にチューブ３０を被せ、加熱収縮させて防飛膜３１を装着させ、その後、口金１３を取り付けている。
【０００５】
【発明が解決しようとする課題】
図２０は、防飛膜３１の劣化を示す表である。
直管形の蛍光ランプの場合には、防飛膜３１の劣化が見られないが、環状蛍光ランプの場合には、その寿命末期時に防飛膜３１の劣化が生じてしまう。図２１に示すように、直管形蛍光ランプの場合には、電極２０がほぼランプ管１０の中央部分に存在し、距離Ｄ１がランプ管１０からほぼ等しい位置に配置されている。それに対し、図２２及び図２３に示すように、環状蛍光ランプの場合には、電極２０がランプ管１０に近くなってしまう。即ち、距離Ｄ２が小さな値となってしまう。そのため、電極２０に近い防飛膜３１の劣化が生じてしまう。この劣化は、熱による劣化であり、ひび、はげ、剥離、浮き、変色、しわ等の変化を起こしてしまう。
【０００６】
この発明は、以上のような問題点を解決するためになされたものであり、環状蛍光ランプの周囲を被覆する被覆層の劣化が生じない環状蛍光ランプを提供することを目的とする。
【０００７】
【課題を解決するための手段】
この発明に係る環状蛍光ランプは、端部に電極を有するランプ管を有する環状蛍光ランプにおいて、
ランプ管の端部に取り付けられたステムと、
ステムからランプ管内部に引き出され、端部に電極を取り付けた２本のリード線と
を備え、
上記２本のリード線は、電極を環状蛍光ランプの内側から外側へ引いた線に直交する方向に配置するとともに、ステムから引き出されたリード線にカーブを持たせることにより電極をランプ管内中央に配置していることを特徴とする。
【００１０】
この発明に係る環状蛍光ランプは、端部に電極を有するランプ管を有する環状蛍光ランプにおいて、
ランプ管の端部に取り付けられたステムと、
ステムからランプ管内部に引き出され、端部に電極を取り付けた２本のリード線と
を備え、
上記２本のリード線は、電極を環状蛍光ランプの内側から外側へ引いた線に直交する方向に配置するとともに、リード線をステムに対して偏心させて取り付けることにより電極をランプ管内中央に配置していることを特徴とする。
【００１１】
この発明に係る環状蛍光ランプは、端部に電極を有するランプ管と、
所定の使用可能温度範囲を有し、ランプ管の周囲を被覆する被覆層と
を有する環状蛍光ランプにおいて、
ランプ管の端部に取り付けられたステムと、
ステムからランプ管内部に引き出され、端部に電極を取り付けた２本のリード線と
を備え、
電極は、ランプ管の管内壁からいずれの方向においても被覆層の使用可能温度範囲によって決定される距離以上離れた位置に配置されており、
上記電極は、上記被覆層の使用可能温度範囲の上限が約１５０℃の場合、ランプ管の管内壁から約７．６ｍｍ以上離れており、
上記２本のリード線は、電極を環状蛍光ランプの内側から外側へ引いた線に直交する方向に配置するとともに、ステムから引き出されたリード線にカーブを持たせることにより電極をランプ管内中央に配置していることを特徴とする。
この発明に係る環状蛍光ランプは、端部に電極を有するランプ管と、
所定の使用可能温度範囲を有し、ランプ管の周囲を被覆する被覆層と
を有する環状蛍光ランプにおいて、
ランプ管の端部に取り付けられたステムと、
ステムからランプ管内部に引き出され、端部に電極を取り付けた２本のリード線と
を備え、
電極は、ランプ管の管内壁からいずれの方向においても被覆層の使用可能温度範囲によって決定される距離以上離れた位置に配置されており、
上記電極は、上記被覆層の使用可能温度範囲の上限が約１５０℃の場合、ランプ管の管内壁から約７．６ｍｍ以上離れており、
上記２本のリード線は、電極を環状蛍光ランプの内側から外側へ引いた線に直交する方向に配置するとともに、リード線をステムに対して偏心させて取り付けることにより電極をランプ管内中央に配置していることを特徴とする。
【００１２】
【発明の実施の形態】
実施の形態１．
図１は、防飛膜３１に用いられるチューブ３０の特性を示す図である。
チューブ３０として、ポリエチレンテレフタレートを用いる場合を示している。このチューブ３０の熱的性質は、融点が２４４℃又は２５５℃である。また、使用可能温度範囲は−７０℃〜＋１５０℃である。また、連続使用温度は１２０℃である。また、耐久性として、蛍光ランプを点灯し続けた場合、約１万時間劣化を生じないことを保証しているものである。
このような特性を持つチューブ３０を用いる場合、その使用可能温度範囲の最高値は＋１５０℃であるから、環状蛍光ランプに対して防飛膜３１を設ける場合、いずれの場所においても、１５０℃以下でなければならない。そこで、図２に示すように、ランプ管１０の内部に配置する電極２０の位置を変えてランプ管１０の表面の温度を測定した。電極２０とランプ管１０の内壁の距離Ｄが最も小さい場所が最も高温になるはずであるが、ランプ管１０の外部からは、どの場所が最も高温になる場所かは不明であるため、図２の矢印に示すように、複数の場所の温度を測定し、その最高温度を測定した。
【００１３】
図３は、電極２０と管内壁７０の距離Ｄと最高温度との関係を示す図である。この測定は、環状蛍光ランプＦＣＬ３０／２８を１０６Ｖの電圧で動作させ、かつ、７０℃の雰囲気内で点灯させた場合を示している。１０６ＶはＪＩＳで定められた電圧の最高値であり、７０℃は同じくでＪＩＳで定められた一般照明機器の蛍光ランプが置かれる雰囲気の最高温度である。図３の黒点が実際に観測された値である。そして、これらの黒点を近似する近似式が求められた。近似式は、
ｙ＝０．００４５ｘ４  −０．２８８８ｘ３  ＋６．８５６５ｘ２  −７３．５８８ｘ＋４２０．５６
である。
この近似式が表す線を、図３において実線で示す。最高温度を１５０℃以下にするためには、ランプ管１０と管内壁７０の距離Ｄは、７．２ｍｍ以上あればよいことになる。もし、数％の余裕を見て最高温度を１４５℃以下にするならば、ランプ管１０と管内壁７０の距離Ｄを７．６ｍｍ以上にすればよい。更に、余裕を見て１４０℃以下にするならば、８．１ｍｍ以上の距離にすればよい。
このように、この実施の形態は、ランプ管１０の管内壁７０からいずれの方向においても防飛膜３１の使用可能温度範囲によって決定される距離以上離れた位置に電極２０を配置することを特徴とする。この電極２０とは、フィラメント１９に電子放射物質が設けられている部分を言う。図１に示すように、使用可能温度範囲の最高温度が約１５０℃の場合には、ランプ管１０の管内壁７０からの距離を約７．６ｍｍ以上にして電極２０を配置すればよい。
【００１４】
以下、図４を用いて電極２０と管内壁７０の距離Ｄを前述した距離以上離れた位置に配置する具体的構成について説明する。以下に述べる具体的構成は、全て環状蛍光ランプについて適用するものである。図４において、図の上は環状蛍光ランプの外側を示し、図の下は内側を示している。図４（ａ）は、電極２０が図において上下方向に配置された場合を示している。図４（ｂ）の場合は、電極２０が図において左右方向に配置されて場合を示している。図４（ａ）及び（ｂ）の場合は、共に、距離Ｔだけ電極２０が図の上方向にずれて配置された場合を示している。電極２０の端部がリード線１４まであると仮定する。リード線１４と管内壁７０までの距離Ｖ１とＶ２は、Ｖ１＜Ｖ２となる。従って、電極２０を配置する場合には、図４（ａ）よりも図４（ｂ）の方が望ましい。即ち、電極２０をランプ管１０の内部に配置する場合には、電極２０を環状蛍光ランプの内側から外側へ引いた線に直交する方向（図４において、左右方向）に配置するのが望ましい。
【００１５】
以下に述べる構成は、図４の（ｂ）のような構成をしている場合の側面図である。
図５は、リード線１４の方向をθ１だけ内側に傾け、電極２０を中央に配置した場合を示している。
図６は、リード線１４にカーブを持たせ、電極２０を中央に配置した場合を示している。
図７は、リード線１４をステム１２に対して偏芯させて電極２０を中央に配置する場合を示している。
図８は、ランプ管１０をθ２の角度で斜めにカットしてステム１２を取り付け、電極２０を中央に配置した場合を示している。
【００１６】
図９から図１３は、ランプ管１０の端部に直状部２１を設けた場合を示している。
直状部２１とは、直管形蛍光ランプの両端部と同様の直管状の端部のことである。このように、直状部２１を設けることにより電極２０がランプ管１０の中央部に配置されるため、防飛膜３１の劣化を防止することができる。
【００１７】
図１４から図１６は、ランプ管１０の端部に膨らみ２２を設けた場合を示している。
図１４は、ランプ管１０の半径を全体的に大きくした場合を示している。
図１５は、ランプ管１０の外側部分の半径のみを大きくした場合を示している。
図１６は、電極２０が配置された部分の外側部分のみを膨らませた場合を示している。
このように、膨らみ２２を設けることにより、電極２０をランプ管１０の管内壁７０から所定の距離以上離すことができる。
【００１８】
図９から図１６に示す環状蛍光ランプは、その形状を一部分変形させているが、一部分の形状変更にとどまるため、従来の円形の環状蛍光ランプが取り付けられる照明器具であれば、図９から図１６に示した一部変形した環状蛍光ランプであっても、取り付ける際に何等問題を生じない。或いは、これら変形された蛍光ランプを取り付けることができるような照明器具を新たに開発しても構わない。
【００１９】
上記説明においては、防飛膜３１の場合を示したが、この発明は、防飛膜３１に限らず、ランプ管１０の周囲を被覆する被覆層がある場合に用いることができる。例えば、ランプ管１０の周囲にカラーフィルムを被覆することにより、色つきの光を発する蛍光ランプでも構わない。
【００２０】
【発明の効果】
以上のように、この発明によれば、被覆層を有する環状蛍光ランプの被覆層の熱劣化を防止することができるという効果がある。
【図面の簡単な説明】
【図１】チューブ３０の特性を示す図である。
【図２】この発明の実験方法を示す図である。
【図３】この発明のランプ管１０と管内壁７０の距離Ｄと最高温度との関係を示す図である。
【図４】電極２０の配置を示す図である。
【図５】この発明の電極２０を中央に配置する構成図である。
【図６】この発明の電極２０を中央に配置する構成図である。
【図７】この発明の電極２０を中央に配置する構成図である。
【図８】この発明の電極２０を中央に配置する構成図である。
【図９】この発明の直状部２１を有するランプ管１０を示す図である。
【図１０】この発明の直状部２１を有するランプ管１０を示す図である。
【図１１】この発明の直状部２１を有するランプ管１０を示す図である。
【図１２】この発明の直状部２１を有するランプ管１０を示す図である。
【図１３】この発明の直状部２１を有するランプ管１０を示す図である。
【図１４】この発明の膨らみ２２を有するランプ管１０を示す図である。
【図１５】この発明の膨らみ２２を有するランプ管１０を示す図である。
【図１６】この発明の膨らみ２２を有するランプ管１０を示す図である。
【図１７】従来の直管形蛍光ランプを示す図である。
【図１８】防飛膜３１を有する直管形蛍光ランプを示す図である。
【図１９】口金１３を有する直管形蛍光ランプを示す図である。
【図２０】この発明が解決しようとする課題を示す図である。
【図２１】直管形蛍光ランプの断面を示す図である。
【図２２】環状蛍光ランプの防飛膜３１の劣化を示す図である。
【図２３】環状蛍光ランプの防飛膜３１の劣化を示す図である。
【符号の説明】
１０  ランプ管、１１  ＦＡ、１２  ステム、１３  口金、１４  リード線、１５  支柱、１７  蛍光体、１９  フィラメント、２０  電極、２１  直状部、２２  膨らみ、３０  チューブ、３１  防飛膜、７０  管内壁。
【図１】
0003600061.tif 000002
【図２】
0003600061.tif 000003
【図３】
0003600061.tif 000004
【図４】
0003600061.tif 000005
【図５】
0003600061.tif 000006
【図６】
0003600061.tif 000007
【図７】
0003600061.tif 000008
【図８】
0003600061.tif 000009
【図９】
0003600061.tif 000010
【図１０】
0003600061.tif 000011
【図１１】
0003600061.tif 000012
【図１２】
0003600061.tif 000013
【図１３】
0003600061.tif 000014
【図１４】
0003600061.tif 000015
【図１５】
0003600061.tif 000016
【図１６】
0003600061.tif 000017
【図１７】
0003600061.tif 000018
【図１８】
0003600061.tif 000019
【図１９】
0003600061.tif 000020
【図２０】
0003600061.tif 000021
【図２１】
0003600061.tif 000022
【図２２】
0003600061.tif 000023
【図２３】
0003600061.tif 000024